(57)【要約】【課題】バッグの持ち手その他の個所に安定保持できる携帯物品ホルダーを提供する。【解決手段】携帯物品ホルダーの背面にメインクリップとサブクリップを、双方の位置角度を有して設けたことを特徴とする。【選択図】      図１３
2005131345.tif 000002
【特許請求の範囲】
【請求項１】
ホルダー本体の背面にメインクリップとサブクリップを、双方の位置角度を有して設けたことを特徴とする携帯物品ホルダー。
【発明の詳細な説明】
【技術分野】
【０００１】  この発明は、バッグその他の物品等への保持力を強化した携帯物品ホルダーに関する。
【背景技術】
【０００２】  従来より、小型カメラ、携帯型ラジオ、防犯ブザー、携帯電話機など種々の携帯用物品・機器が利用され、とりわけ携帯電話機が多用されている。この携帯電話機に関しては専用のホルダーがよく利用されているが、ホルダー側面に１個のクリップを設けて、このクリップにてズボンのベルト等に取り付ける方式のものが大半であり、本発明にて示すように２個のクリップにて保持力を強化したものは見当たらない。
【発明の開示】
【発明が解決しようとする課題】
【０００３】  従来の携帯物品ホルダーとしての携帯電話機ホルダーは前記したように、１個のクリップしか有さないので、ベルト以外の個所、例えばバッグの持ち手に取り付けたとき、ぐらついて安定感がない。携帯電話機は着信のときにすばやく取り出す必要があり、腰の位置に保持するにはベルトに取り付けることとなるが、女性などはベルト着用していないことが多い。そのため、ハンドバッグ等の中に収納することが多いが、着信のとき、バッグを開けて中を検分して取り出すこととなり、他の物品と混在する携帯電話機を見いだすには時間と労力を要し、不便であった。
このようなとき、バッグの持ち手に携帯物品ホルダーを取り付けておけばすぐに取り出せて都合がよい。しかし、クリップ１個で持ち手に取り付けると１個所の支持となるため、ぐらついて不便であり、これを解消する有効な手段が見当たらないのが現状である。
また、前記した小型カメラ、携帯型ラジオ、防犯ブザーなどはその物品にストラップをつけて、手にぶら下げる方式のものが多く、これら物品に対する専用のホルダーは見当たらない。
本発明は、以上のような携帯物品・機器の保持に関わる課題を解決するために発明されたもので、携帯物品ホルダーに２個のクリップを角度を変えて設けることにより、バッグの持ち手その他の物品あるいは衣服の適宜個所に安定して取り付けることのできる新規な携帯物品ホルダーを提供することを目的としたものである。
【課題を解決するための手段】
【０００４】  課題を解決する手段として本発明は、携帯物品ホルダーに２個のクリップを直角近傍の位置角度に設けてその主要部を構成した。
すなわち、携帯物品ホルダーの背面にメインクリップとサブクリップを、双方の位置角度を直角近傍に設ける。本発明は以上の構成よりなる携帯物品ホルダーである。
【発明の効果】
【０００５】  本発明によれば、携帯物品ホルダーに２個のクリップが直角近傍の位置角度にて配備されているので、バッグの持ち手等を２個所で押圧挟持することとなり、従来の携帯物品ホルダーの１個所保持に比べて、より強固に安定保持することのできる有用なる物品を提供することができる。
【発明を実施するための最良の形態】
【０００６】  以下、本発明の実施形態について説明する。
図において、１はケース本体で、皮革製の略Ｕ形の部材で、その側部の大半は薄手の同材質による湾曲した側片２が一体に形成されている。
このケース本体の上部は、一方に比べて他方はやや短く形成されている。
３は剛性を有するＬ形の合成樹脂板による基板で、ケース本体の後部側面に固着される。
４はメインクリップで、基板中ほどに軸支される舌片Ａと基板との関係にて構成される。
この舌片Ａは、そのやや上部分が軸支される。すなわち、舌片Ａ５の両側部に突片が形成され、該突片適所に貫通孔が穿設されている。この貫通孔内に支軸６が挿入係止され、支軸を巻き込むようにスプリングが位置している。このスプリング両端は直線状に伸びてその一方は舌片裏面に接し、他方は基板に接している。
従って、舌片下端は常に基板に近づく方向に押圧されて保持力が発生している。
この基板下部と舌片Ａ下部は押圧するが、基板下部裏面は図４に示すようにその左方は厚く盛り上がり、この盛り上がった部分にＴ形凹部７が形成される。一方、舌片Ａの対応個所も厚く盛り上がり、Ｔ形凸部８が形成され、この凸部と凹部とが噛み合って押圧接触している。
１０はサブクリップで、メインクリップに対し９０度回転した位置にあり、メインクリップと同様機構にて舌片Ｂ１１が基板左端に押圧接触している。基板左端は盛り上がり、ここにクロス形凹部１２が、舌片Ｂの対応個所にはクロス形凸部１３が形成され、この凸部と凹部とが噛み合って押圧接触している。【０００７】  本発明を使用するには、舌片Ａの端を指で押圧すると舌片の他方の端がスプリングによる押圧力に逆らって持ち上がるので、バッグの持ち手を基板と舌片Ａとの間に位置させて指を離すと、スプリングの力にて持ち手は基板と舌片Ａとの間に押圧狭持される。
同様にして舌片Ｂを開き、基板と舌片Ｂの間に持ち手を狭持させる。
以上の操作にて図１３のように携帯物品ホルダーは双方の舌片により持ち手に狭持される。この狭持は舌片ＡとＢによる２個所保持となるため、携帯物品ホルダーがぐらつくこともなくしっかりと安定保持される。また、既述のように基板と舌片の当接個所は、凹部と凸部の噛み合う状態となり、基板に対する舌片の位置ずれを防いでより確実な押圧挟持とすることができる。
以上が本発明の一実施形態である。
本発明の概要については既述したが、本発明はクリップを２個設けたところにその特徴がある。従来のように１個のクリップでは、バッグ持ち手等に取り付けた場合、１点支持となるため安定感がないが、本発明は２個のクリップを有するため、２点支持となって安定保持が可能となるのである。また、双方のクリップを直角を超えない位置角度に配置したので、持ち手に対する押圧挟持部分に距離があり、しっかりとした保持ができる。
なお、図１２は双方のクリップ角度を鋭角に設定したもので、機能上は同様である。
双方のクリップ間の角度は３０度〜１３０度ほどが可能範囲であるが、角度が小さすぎると、支持部分の距離が近すぎて保持機能が薄れ、遠すぎると保持に難があるので、９０度近傍好ましくは７０度〜１１０度が適当である。また、図１と図３で示す仮想線はクッション部材を示すもので、ホルダー内の携帯物品の脱落防止機能を有する。
前記したように、携帯物品のホルダーとしては携帯電話機ホルダーが知られているが、小型カメラ、携帯型ラジオ、防犯ブザーなどの携帯用ホルダーは見当たらない。
しかるに、本発明はその構成から携帯電話機以外の他の携帯物品の収納保持も可能であり、広範囲の利便性を有するものである。本発明の取り付け個所としては、バッグ、カバン類、買い物袋、リュック、衣服の襟部分など自由に選択することができる。構成素材としては、既述の皮革以外に、布、合成樹脂も使用することができる。
なお、既述の例ではスプリングを用いた押圧挟持としたが、舌片を弾性部材を用いて形成し、舌片の弾力にて押圧狭持する方式としてもよい。また舌片は平板以外に、内に空隙を有するように湾曲させた板体としてもよい。
以上のごとく、本発明によって安定保持力のある携帯物品ホルダーを得ることができる。
【図面の簡単な説明】
【０００８】
【図１】  本発明の平面図
【図２】  本発明の正面図
【図３】  本発明の左側面図
【図４】  本発明の基板下部形状説明図（正面視）
【図５】  本発明の基板下部形状説明図（側面視）
【図６】  本発明の舌片Ａの下部形状説明図
【図７】  本発明の舌片Ａの下部形状説明図
【図８】  本発明の基板左端形状説明図
【図９】  本発明の基板左端形状説明図
【図１０】  本発明の舌片Ｂの左端形状説明図
【図１１】  本発明の舌片Ｂの左端形状説明図
【図１２】  本発明の他例説明図
【図１３】  本発明の使用状態説明図
【符号の説明】
【０００９】  １    ケース本体
２    側片
３    基板
４    メインクリップ
５    舌片Ａ
６    支軸
７    Ｔ形凹部
８    Ｔ形凸部
９    スプリング
１０  サブクリップ
１１  舌片Ｂ
１２  クロス形凹部
１３  クロス形凸部
１４  バッグ持ち手
１５  携帯物品
【図１】
2005131345.tif 000003
【図２】
2005131345.tif 000004
【図３】
2005131345.tif 000005
【図４】
2005131345.tif 000006
【図５】
2005131345.tif 000007
【図６】
2005131345.tif 000008
【図７】
2005131345.tif 000009
【図８】
2005131345.tif 000010
【図９】
2005131345.tif 000011
【図１０】
2005131345.tif 000012
【図１１】
2005131345.tif 000013
【図１２】
2005131345.tif 000014
【図１３】
2005131345.tif 000015